(57)【特許請求の範囲】
【請求項１】
木綿の経糸と緯糸とが交互に交差して平織りされ平組織を有したガーゼ本体に、Ｘ線造影糸が織り糸と互いにもじれながら前記経糸と前記緯糸とのいずれか一方と織り込まれ、前記Ｘ線造影糸が前記経糸と前記緯糸とのいずれか他方と略平行なもじり組織が形成され、前記織り糸が前記Ｘ線造影糸の表側から交互に前記ガーゼ本体の緯糸の裏面側に掛け渡された
ことを特徴としたガーゼ。
【請求項２】
織り糸は、木綿糸である
ことを特徴とした請求項１記載のガーゼ。
【発明の詳細な説明】
【０００１】
【発明の属する技術分野】
本発明は、Ｘ線造影糸を有したガーゼに関する。
【０００２】
【従来の技術】
従来、この種のガーゼは、例えば手術の際に使用され、施術後のＸ線撮影により除去されずに体内に残ってしまっていないか確認できるように、硫酸バリウムなどを含有したＸ線造影糸が織り込まれている。そして、このＸ線造影糸を有する構成としては、例えば図２に示すガーゼ10ように、経糸11の一部がＸ線造影糸12に置換されて木綿の経糸11および緯糸13がＸ線造影糸12とともに交互に交差して平織されている。
【０００３】
【発明が解決しようとする課題】
ところで、ガーゼ10は、吸水性、通気性、被覆性など各種医療措置に対応すべく経糸11および緯糸13が交互に交差した平組織を有する平織構造が採られている。そして、Ｘ線造影糸12は、硫酸バリウムなどのＸ線造影のための材料を含有することから、木綿糸に比して屈曲しにくい。このため、Ｘ線造影糸12を有するガーゼ10を切断などによりある程度の小さい面積となると、ピンセットでつまむなどの外部からの応力が作用した際に、Ｘ線造影糸12がガーゼ10から抜け落ちるおそれがある問題がある。
【０００４】
本発明は、上記問題点に鑑みなされたもので、Ｘ線造影糸の抜け落ちを防止したガーゼを提供することを目的とする。
【０００５】
【課題を解決するための手段】
請求項１記載のガーゼは、木綿の経糸と緯糸とが交互に交差して平織りされ平組織を有したガーゼ本体に、Ｘ線造影糸が織り糸と互いにもじれながら前記経糸と前記緯糸とのいずれか一方と織り込まれ、前記Ｘ線造影糸が前記経糸と前記緯糸とのいずれか他方と略平行なもじり組織が形成され、前記織り糸が前記Ｘ線造影糸の表側から交互に前記ガーゼ本体の緯糸の裏面側に掛け渡されたものである。
【０００６】
そして、木綿の経糸と緯糸とが交互に交差させて平織りし平組織を形成するガーゼ本体に、Ｘ線造影糸が織り糸と互いにもじれながら経糸と緯糸とのいずれか一方と織り込み、Ｘ線造影糸が経糸と緯糸とのいずれか他方と略平行となるもじり組織を形成することにより、織り糸がＸ線造影糸に絡み付く状態となり、Ｘ線造影糸の抜け落ちが防止される。
【０００７】
請求項２記載のガーゼは、請求項１記載のガーゼにおいて、織り糸は、木綿糸であるものである。
【０００８】
そして、織り糸として木綿糸を用いることにより、織り糸がガーゼ本体を構成する経糸および緯糸と同質となり、外観が向上するとともに、織り糸として経糸および緯糸を用いることが可能で、製造性が向上する。
【０００９】
【発明の実施の形態】
以下、本発明のガーゼの一実施の形態を図面を参照して説明する。
【００１０】
図１において、１はガーゼで、このガーゼ１は、木綿の経糸２および緯糸３が交互に交差して平織りされ平組織を有するガーゼ本体４を有している。そして、このガーゼ本体４には、Ｘ線造影糸５が経糸２と同質および同形状の木綿糸である織り糸６ともじれながら緯糸３にもじり織りにて織り込まれている。
【００１１】
すなわち、平組織を有するガーゼ本体４の一面側である表面側で隣接する経糸２，２間にＸ線造影糸５が位置し、もじり織り用の織り糸６がＸ線造影糸５の表側から交互にガーゼ本体４の緯糸３の裏面側に掛け渡されて、ガーゼ１は経糸２，２と緯糸３，３とによる平組織と、Ｘ線造影糸５と織り糸６とによるもじり組織とを有している。
【００１２】
そして、Ｘ線造影糸５は、例えばポリプロピレン、ポリ塩化ビニル、シリコンなどの繊維状樹脂に硫酸バリウムが含浸されて製糸されたものである。また、Ｘ線造影糸５は、その特性上、経糸２、緯糸３および織り糸６より太くかつ可撓性が低い。このため、織り込まれたＸ線造影糸５はほぼ直線状となり、ガーゼ１は直線状となるＸ線造影糸５がガーゼ本体４の経糸２と略平行に位置し織り糸６がＸ線造影糸５に絡み付く状態のもじり組織が形成されている。
【００１３】
上述したように、平織構造のガーゼ本体４にＸ線造影糸５および織り糸６をもじり織りにて織り込みガーゼ１を形成するため、ガーゼ全体４の構造は平組織であり、ガーゼ１の特性を変更することなく、従来のＸ線造影糸５を平織りしたガーゼ10に比して引き抜き抵抗が極めて大きくなってＸ線造影糸５の抜け落ちを防止できる。
【００１４】
このため、手術用として体内に使用するなどの医療措置に用いるガーゼ１に接着剤などの添加物を使用することなくＸ線造影糸５を抜け落ちずに固定して設けることができる。
【００１５】
さらに、ガーゼ本体４ももじり織りすると、木綿糸である経糸２および緯糸３は細く剛性がないために糸が寄ってしまうおそれがあるが、ガーゼ本体４は従来の平組織でＸ線造影糸５の部分のみを選択的にもじり織りとするので、Ｘ線造影糸５が抜け落ちることなく、従来のガーゼ10の機能を維持できるとともに、織り方に影響を受けることなく交差状のままで形成できる。
【００１６】
そして、Ｘ線造影糸５が抜け落ちないため、確実にＸ線撮影によりガーゼ１の有無を確認できる。
【００１７】
また、もじり織りは平織りに並ぶ四原組織であり、一般的に普及した織り方で形成できることから、上述したように従来のガーゼ10と同様に工程が煩雑とならず容易に形成できる。
【００１８】
さらに、Ｘ線造影糸５ともじる織り糸６を経糸２と同質および同形状の木綿糸を用いるため、ガーゼ本体４にＸ線造影糸５のみが織り込まれた状態となり、外観が向上するとともに、織り糸６として経糸２を用いることができ、別途種類のことなる織り糸６を用いる必要がなく、製造性を向上でき、異質の織り糸を用いる場合に比してガーゼ１としての機能を向上できる。
【００１９】
なお、上記実施の形態において、Ｘ線造影糸５としては、Ｘ線造影性を有したいずれの材料にて形成してもよい。
【００２０】
また、ガーゼ１を形成する際にＸ線造影糸５および織り糸６を織り込んだり、あらかじめ平織りして形成したガーゼ本体４にＸ線造影糸５および織り糸６をもじり織りにより編み込むようにして織り込むなどしてもよい。
【００２１】
また、織り糸６としては、経糸２と同質および同形状に限らず、異なる糸を用いてもよい。
【００２２】
そして、Ｘ線造影糸５を経糸２と略平行に位置させて織り糸６ともじりながら緯糸３ともじり織りしたが、緯糸３と略平行に位置させて経糸２ともじり織りしてもよい。
【００２３】
【実施例】
次に、上記実施の形態のガーゼの実験例を説明する。
【００２４】
ガーゼ本体４を構成する経糸２および緯糸３は、４０番手である約４５３．５９〔ｇ〕×約７６８．１０〔ｍ〕×４０のものを用いた。そして、ガーゼ１は、１cm2で縦１２±１〔本〕、横１２±１〔本〕の条数で、標準幅が３０＋５〔cm〕、３０−１．０〔cm〕に平織りされたものである。そして、得られたガーゼ１を長さ３００mm、幅５０mmに裁断して試料片とした。なお、Ｘ線造影糸５は、長さ寸法が２００mmである。また、Ｘ線造影糸５としては、ポリプロピレン樹脂３９％、硫酸バリウム６０％、その他の添加剤１％の組成のものを用いた。
【００２５】
そして、図示しない測定装置のチャック間が２００mmとなるように試料片を保持し、Ｘ線造影糸５を引っ張りスピード３００mm／分で引っ張り、その引っ張り荷重を測定した。なお、比較試料として、Ｘ線造影糸５を平織りした従来のガーゼ10を用いた。その結果を表１に示す。
【００２６】
【表１】
0003658308.tif 000002
この表１に示す結果から、平織構造のガーゼ本体４にＸ線造影糸５および織り糸６をもじり織りにて織り込んで形成した本実施例のガーゼ１は、従来のＸ線造影糸５を平織りしたガーゼ10に比して、Ｘ線造影糸５の引き抜き抵抗が約２０倍強となり、Ｘ線造影糸５が極めて抜け落ちにくくなっていることがわかる。
【００２７】
【発明の効果】
請求項１記載のガーゼによれば、木綿の経糸と緯糸とが交互に交差する平組織のガーゼ本体に、Ｘ線造影糸および織り糸をもじりなから織り込んでもじり組織を形成するため、織り糸がＸ線造影糸に絡み付く状態となり、Ｘ線造影糸の抜け落ちを防止できる。
【００２８】
請求項２記載のガーゼによれば、請求項１記載のガーゼの効果に加え、織り糸として木綿糸を用いるため、織り糸がガーゼ本体を構成する経糸および緯糸と同質となり、外観を向上できるとともに、織り糸として経糸および緯糸を用いることができ、製造性を向上できる。
【図面の簡単な説明】
【図１】本発明の一実施の形態におけるガーゼのＸ線造影糸近傍を示す拡大図である。
【図２】従来例のガーゼのＸ線造影糸近傍を示す拡大図である。
【符号の説明】
１    ガーゼ
２    経糸
３    緯糸
４    ガーゼ本体
５    Ｘ線造影糸
６    織り糸
【図１】
0003658308.tif 000003
【図２】
0003658308.tif 000004